(57)【要約】【課題】    携帯式人力発電機においては小型軽量化が必要になるが、これを実現しようとすると強度が低下する可能性が高い。このように強度の低い発電機を使用する際には繊細な操作が必要となるので、自然人の手の繊細さから手動式のものが多い。しかし、手は繊細な反面、足に比べて力が弱く、十分な発電量を得ようとするとすぐに手や腕が疲れてしまう。【解決手段】  自転車の両足式キックスタンド及び地面の水平面を利用して合理的に携帯式人力発電機の回転入力部及び後輪を安定接触させる。【選択図】          図４
2008215144.tif 000002
【特許請求の範囲】
【請求項１】
後輪を第１回転軸線を中心に回転可能に支持する自転車フレームのリアエンド付近に固定され前記後輪の外周方向にそれぞれ伸びる第１支柱部及び第２支柱部と、前記第１支柱部及び前記第２支柱部それぞれの先端部の間に架設される架設部と、を具備し、
水平面に前記第１支柱部及び前記第２支柱部それぞれの先端部を接地させて前記後輪を前記水平面から浮かせる為の第１状態と、前記第１状態から前記先端部を揺動させて前記後輪を前記水平面に接地させる為の第２状態と、を有する両足式キックスタンドに係合可能な携帯式人力発電機であって、
係合部と、接地部と、を備えるベース部と、
回転体と、前記回転体を第２回転軸線を中心に回転可能に支持する支持部と、前記回転体に動力を伝達する回転入力部と、を備え、前記ベース部に設置され、前記支持部に対して前記回転体を前記第２回転軸線を中心に回転させることで発電可能である、発電部と、
を具備し、
前記第１状態の前記両足式キックスタンドに前記係合部が係合し、同時に前記接地部が前記水平面に接地した第３状態で、前記回転入力部を前記後輪に接触させ前記第１回転軸線を中心に前記後輪を回転させることで前記発電部が発電する、
携帯式人力発電機。
【請求項２】
前記発電部は前記ベース部に対して移動可能に前記ベース部に支持される、
請求項１に記載の携帯式人力発電機。
【請求項３】
前記発電部は前記ベース部に対して揺動可能に前記ベース部に支持される、
請求項１に記載の携帯式人力発電機。
【請求項４】
前記第３状態では、前記発電部は前記後輪に接触する方向に付勢される、
請求項２から請求項３のいずれかに記載の携帯式人力発電機。
【請求項５】
前記第３状態では、前記係合部は前記架設部に係合される、
請求項１から請求項４のいずれかに記載の携帯式人力発電機。
【請求項６】
前記第３状態では、前記係合部は前記第１支柱部又は前記第２支柱部の先端部に係合される、
請求項１から請求項５のいずれかに記載の携帯式人力発電機。
【請求項７】
前記第３状態では、前記係合部は前記第１支柱部及び前記第２支柱部の先端部に係合される、
請求項１から請求項５のいずれかに記載の携帯式人力発電機。
【請求項８】
前記第３状態では、前記ベース部は前記両足式キックスタンド及び前記水平面に挟まれるように配置される、
請求項１から請求項４のいずれかに記載の携帯式人力発電機。
【発明の詳細な説明】
【技術分野】
【０００１】
本発明は、人力で発電する為の携帯式発電機に関する。
【背景技術】
【０００２】
携帯式の人力発電機においては、永久磁石の接続されたハンドルを手で回す、又は手で筒を振って筒の中で永久磁石を往復運動させることで、電気コイルを通過する磁束を変化させて発電させるようなアイデアが知られている。
【０００３】
また、据え置き式の人力発電機においては、特許文献１のように自転車の後輪の動力を利用して発電する為に、据え置き式のスタンド装置に設置されるアイデアが知られている。このアイデアでは、自転車の走行に際してスタンド装置は取り外される。
【０００４】
また、特許文献２のように自転車に据え付けられ、自転車の走行に際してスタンド装置をキックして走行の妨げになりにくい位置に収納可能な両足式キックスタンドが知られている。
【０００５】
また、特許文献３のように自転車用発電機の出力電圧を制限する為のアイデアや、特許文献４のように自転車用発電機の発電エネルギーを効率的に蓄電する為のアイデアが知られている。
【０００６】
【特許文献１】実登３０６８６６４号公報
【特許文献２】特開２００６−２０５９５４号公報
【特許文献３】特開２００３−２３０３００号公報
【特許文献４】特開２００４−１４０９３８号公報
【発明の開示】
【発明が解決しようとする課題】
【０００７】
携帯式人力発電機においては小型軽量化が必要になるが、これを実現しようとすると強度が低下する可能性が高い。このように強度の低い発電機を使用する際には繊細な操作が必要となるので、自然人の手の繊細さから手動式のものが多い。しかし、手は繊細な反面、足に比べて力が弱く、十分な発電量を得ようとするとすぐに手や腕が疲れてしまう。
また、足で操作して発電する為には、強い力を高速運動に変換する為の増速機構を設けてやることが発電部を小型化するための得策であるが、これを実現する為に特許文献１のような大きな装置を構築すると携帯が非常に困難であり、例えば災害に備えた非常用袋に入れて移動するのは難しい。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る携帯式人力発電機は、例えば図１から６のように、
後輪２を回転軸線１を中心に回転可能に支持する自転車フレーム３のリアエンド４付近に固定され後輪２の外周方向にそれぞれ伸びる支柱部５及び６と、支柱部５及び６それぞれの先端部７及び８の間に架設される架設部９と、を具備し、
水平面１０に支柱部５及び６それぞれの先端部７及び８を接地させて後輪２を水平面１０から浮かせる為の図１又は３のような第１状態と、前記第１状態から先端部７及び８を揺動させて後輪２を水平面１０に接地させる為の図２のような第２状態と、を有する両足式キックスタンド１７に係合可能な携帯式人力発電機であって、
係合部５０と、接地部５１と、を備えるベース部５２と、
回転体５３と、回転体５３を回転軸線５５を中心に回転可能に支持する支持部５６と、回転体５３に動力を伝達する回転入力部５４と、を備え、ベース部５２に設置され、支持部５６に対して回転体５３を回転軸線５５を中心に回転させることで発電可能である、発電部５７と、
を具備し、
前記第１状態の両足式キックスタンド１７に係合部５０が係合し、同時に接地部５１が水平面１０に接地した図４のような第３状態で、回転入力部５４を後輪２に接触させ回転軸線１を中心に後輪２を回転させることで発電部５７が発電する、
携帯式人力発電機である。
【００１０】
発明２に係る携帯式人力発電機は、発明１の携帯式人力発電機において、例えば図５及び図６のように、
発電部５７はベース部５２に対して移動可能にベース部５２に支持される、
携帯式人力発電機である。
【００１１】
発明３に係る携帯式人力発電機は、発明１の携帯式人力発電機において、例えば図５及び図６のように、
発電部５７はベース部５２に対して揺動可能にベース部５２に支持される、
携帯式人力発電機である。
【００１２】
発明４に係る携帯式人力発電機は、発明２から３のいずれかの携帯式人力発電機において、例えば図４のように、
前記第３状態では、発電部５７は後輪２に接触する方向に付勢される、
携帯式人力発電機である。
【００１３】
発明５に係る携帯式人力発電機は、発明１から４のいずれかの携帯式人力発電機において、例えば図４のように、
前記第３状態では、係合部５０は架設部９に係合される、
携帯式人力発電機である。
【００１４】
発明６に係る携帯式人力発電機は、発明１から５のいずれかの携帯式人力発電機において、
前記第３状態では、係合部５０は支柱部５又は６の先端部７又は８に係合される、
携帯式人力発電機である。
【００１５】
発明７に係る携帯式人力発電機は、発明１から５のいずれかの携帯式人力発電機において、
前記第３状態では、係合部５０は支柱部５及び６の先端部７及び８に係合される、
携帯式人力発電機である。
【００１６】
発明８に係る携帯式人力発電機は、発明１から４のいずれかの携帯式人力発電機において、例えば図４のように、
前記第３状態では、ベース部５２は両足式キックスタンド１７及び水平面１０に挟まれるように配置される、
携帯式人力発電機である。
【発明の効果】
【００１７】
以上のように本発明では、図５のように非常にシンプルな構成が可能であり、小型軽量化及び高強度化を両立しやすい。
また、両足式キックスタンド１７及び係合部５０の係合をシンプルにしても、接地部５１が水平面１０に接地することによって安定した携帯式人力発電機の取り付けが可能であり、簡便な付け外しが可能となる。
【００１８】
また、発明２又は３では、本発明の効果に加えて、様々な後輪２や両足式キックスタンド１７のサイズに対応することが容易となる。
【００１９】
また、発明４では、本発明の効果に加えて、後輪２及び回転入力部５４の接触をより安定させることが可能となる。
【００２０】
また、発明８では、本発明の効果に加えて、自転車及び乗車者の重量によって両足式キックスタンド１７及び係合部５０の係合が強くなるので、よりシンプルな構成が可能となる。
【発明を実施するための最良の形態】
【００２１】
〔第１実施形態〕
まず、図１から図４の両足式キックスタンド１７について説明する。
支柱部５は、後輪２の回転軸線１を中心とするハブ軸の一端部を穴３１に通して固定ナットによって固定される固定部２９と、揺動軸線２０を中心に揺動可能に固定部２９に支持される棒状の揺動部３５と、揺動軸線２１を中心に揺動可能に揺動部３５に支持される揺動片２２と、固定部２９のバネ掛け部２３及び揺動片２２のバネ掛け部２５の間に架設される引張バネ２４と、を備えている。
支柱部６は、後輪２の回転軸線１を中心とするハブ軸の他端部を穴３２に通して固定ナットによって固定される固定部３０と、揺動軸線２０を中心に揺動可能に固定部３０に支持される棒状の揺動部３６と、を備えている。
また、揺動部３５及び３６それぞれの先端部でもある先端部７及び８の間に棒状の架設部９が架設されている。ここで、揺動部３５、３６及び架設部９は棒を曲げて一体成形したものである。
また、図１又は２のように自転車フレーム３のリアエンド４に固定された状態において、棒状の架設部９、回転軸線１、揺動軸線２０及び２１はいずれも略平行である。
また、図１又は３のような第１状態と、図２のような第２状態の両状態で両足式キックスタンド１７が安定するように、引張バネ２４及び揺動軸線２０によるトグル機構が構成されている。
また、図１又は３のように揺動片２２を揺動させて固定部２９の切り欠きに揺動片２２を係合させることで揺動部３５は固定部２９に係止される。
【００２２】
つづいて、図４から６の携帯式人力発電機について説明する。
ベース部５２は弾力性を有する樹脂を一体成型した帯状であり、一端部の表側に支持部６０、及び裏側に接地部５１と、他端部の表側に架設部９に係合可能な溝６１を備える係合部５０、及び裏側に接地部６３と、を備えている。
発電部５７は大部分が樹脂一体成型された棒状であり、一端部が揺動軸線５８を中心とする軸ピン５９を中心に揺動可能に支持部６０に支持されており、他端部の回転軸線５５を中心に回転可能に支持部５６に支持される回転体５３と、を備えている。
また、筒状の回転体５３の外周には回転入力部５４が一体に設けられており、回転軸線１を中心に回転する後輪２のタイヤ１９に回転入力部５４が接触することで回転体５３は回転軸線５５を中心に回転する。このとき、回転軸線１及び５５は略平行である。また、回転体５３の内周には筒状のバックヨークが固定されており、バックヨークの内周に永久磁石が接着されている。また、支持部５６に回転軸線５５を中心とする軸ピンが固定されており、この軸ピンを中心とするクローポール型のヨークが固定されており、ヨークの中央部には電気コイルが巻かれている。また、回転体５３の内側にヨークを収めてクローポール及び永久磁石が僅かな隙間をおいて対向するように回転体５３の両端を軸受け支持している。
また、電気コイルの出力端子は、支持部５６に備えられた整流回路、平滑回路、電圧制限回路等の電気回路を通してから一端に出力コネクタを備えた電線によって外部に出ている。これらの電気回路は、支持部５６に備えられた蓋６５の螺合を工具穴６４を利用して外してから収納されている。
また、図６のようなベース部５２及び発電部５７の折りたたみ状態では、発電部５７の他端部がベース部５２の他端部の係合部６２に係合している。ここで、係合部６２ではなくて係合部５０に係合するようにしても良い。
また、発電部５７は折りたたみ状態なる揺動方向に、揺動軸線５８を中心とし一端がベース部５２、他端が発電部５７に接続されるネジリコイルバネ、又はベース部５２及び発電部５７の間に架設される引張バネ、等の付勢部材によって付勢されているが、付勢部材を使用せずに携帯式人力発電機を構成する素材の弾力性を利用して、図４のような状態で回転入力部５４が後輪２に接触する方向に付勢するような方法が考えられ、この際、ベース部５２及び発電部５７の一端部を一体に構成することも考えられる。また、ベース部５２に対する発電部５７の揺動角度を保つようにローレット及びネジを用いた固定手段等によって固定するような案も考えられる。
また、回転入力部５４が後輪２のリム１８に接触することで回転体５３に動力が伝達されるようにしても良いし、回転体５３及び回転入力部５４を別体として、ギヤ機構やベルト車機構等の伝達機構を用いて両者を接続しても良い。
また、電気コイル及びヨークを回転体５３側に固定して、永久磁石を支持部５６側に固定しても良い。この際、スリップリングを用いて電気コイルの出力を取り出すことができるし、取り出さずに回転体５３側に発光ダイオード等の負荷を備えても良い。
また、ヨーク及び永久磁石等の磁気回路や電気コイルを回転体５３の内部ではなく外部に備えても良い。
【００２３】
〔その他の実施形態〕
第１実施形態に記載の携帯式人力発電機において、係合部５０が先端部７及び８と水平面１０の間に挟まれることで係合される案や、棒状の支柱部５及び６の内側から係合部５０の２つの溝がそれぞれ嵌り込むような係合の案が考えられる。
【図面の簡単な説明】
【００２４】
【図１】両足式キックスタンド１７の第１状態を表す、後輪付近拡大表示図
【図２】両足式キックスタンド１７の第２状態を表す、後輪付近拡大表示図
【図３】第１状態の両足式キックスタンド１７を表す斜視図
【図４】第３状態を表す、第１実施形態の携帯式人力発電機付近拡大表示図
【図５】第１実施形態の携帯式人力発電機を広げた状態を表す斜視図
【図６】第１実施形態の携帯式人力発電機を折りたたんだ状態を第三角法で表す図
【符号の説明】
【００２５】
１,５５  .                            回転軸線
２.                                      後輪
３.                                      自転車フレーム
４.                                      リアエンド
５,６.                                 支柱部
７,８.                                 先端部
９.                                      架設部
１０.                                  水平面
１１.                                  クランク
１２.                                  ペダル
１３.                                  チェーン
１４.                                  シートチューブ
１５.                                  チェーンステイ
１６.                                  シートステイ
１７.                                  両足式キックスタンド
１８.                                  リム
１９.                                  タイヤ
２０,２１,５８.                 揺動軸線
２２.                                  揺動片
２３,２５.                          バネ掛け部
２４.                                  引張バネ
２６,２７,２８,５９.         軸ピン
２９,３０.                          固定部
３１,３２.                          穴
３３,３４.                          回転止め
３５,３６.                          揺動部
５０,６２.                          係合部
５１,６３.                          接地部
５２.                                  ベース部
５３.                                  回転体
５４.                                  回転入力部
５６,６０.                          支持部
５７.                                  発電部
６１.                                  溝
６４.                                  工具穴
６５.                                  蓋
【図１】
2008215144.tif 000003
【図２】
2008215144.tif 000004
【図３】
2008215144.tif 000005
【図４】
2008215144.tif 000006
【図５】
2008215144.tif 000007
【図６】
2008215144.tif 000008
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
後輪を第１回転軸線を中心に回転可能に支持する自転車フレームのリアエンド付近に固定され前記後輪の外周方向にそれぞれ伸びる第１支柱部及び第２支柱部と、前記第１支柱部及び前記第２支柱部それぞれの先端部の間に架設される架設部と、を具備し、
水平面に前記第１支柱部及び前記第２支柱部それぞれの先端部を接地させて前記後輪を前記水平面から浮かせる為の第１状態と、前記第１状態から前記先端部を揺動させて前記後輪を前記水平面に接地させる為の第２状態と、を有する両足式キックスタンドに係合可能な携帯式人力発電機であって、
係合部と、接地部と、を備えるベース部と、
回転体と、前記回転体を第２回転軸線を中心に回転可能に支持する支持部と、前記回転体に動力を伝達する回転入力部と、を備え、前記ベース部に設置されて前記ベース部に対して移動可能に又は揺動可能に前記ベース部に支持され、前記支持部に対して前記回転体を前記第２回転軸線を中心に回転させることで発電可能である、発電部と、
を具備し、
前記第１状態の前記両足式キックスタンドに前記係合部が係合し、同時に前記接地部が前記水平面に接地した第３状態で、前記回転入力部を前記後輪に接触させ前記第１回転軸線を中心に前記後輪を回転させることで前記発電部が発電する、
携帯式人力発電機。
【請求項２】
前記第３状態では、前記発電部は前記後輪に接触する方向に付勢される、
請求項１に記載の携帯式人力発電機。
【請求項３】
前記第３状態では、前記係合部は前記架設部に係合される、
請求項１から請求項２のいずれかに記載の携帯式人力発電機。
【請求項４】
前記第３状態では、前記係合部は前記第１支柱部又は前記第２支柱部の先端部に係合される、
請求項１から請求項３のいずれかに記載の携帯式人力発電機。
【請求項５】
前記第３状態では、前記係合部は前記第１支柱部及び前記第２支柱部の先端部に係合される、
請求項１から請求項３のいずれかに記載の携帯式人力発電機。
【請求項６】
前記第３状態では、前記ベース部は前記両足式キックスタンド及び前記水平面に挟まれるように配置される、
請求項１から請求項２のいずれかに記載の携帯式人力発電機。
【手続補正２】
【補正対象書類名】明細書
【補正対象項目名】全文
【補正方法】変更
【補正の内容】
【発明の詳細な説明】
【技術分野】
【０００１】
本発明は、人力で発電する為の携帯式発電機に関する。
【背景技術】
【０００２】
携帯式の人力発電機においては、永久磁石の接続されたハンドルを手で回す、又は手で筒を振って筒の中で永久磁石を往復運動させることで、電気コイルを通過する磁束を変化させて発電させるようなアイデアが知られている。
【０００３】
また、据え置き式の人力発電機においては、特許文献１のように自転車の後輪の動力を利用して発電する為に、据え置き式のスタンド装置に設置されるアイデアが知られている。このアイデアでは、自転車の走行に際してスタンド装置は取り外される。
【０００４】
また、特許文献２のように自転車に据え付けられ、自転車の走行に際してスタンド装置をキックして走行の妨げになりにくい位置に収納可能な両足式キックスタンドが知られている。
【０００５】
また、特許文献３のように自転車用発電機の出力電圧を制限する為のアイデアや、特許文献４のように自転車用発電機の発電エネルギーを効率的に蓄電する為のアイデアが知られている。
【０００６】
【特許文献１】実登３０６８６６４号公報
【特許文献２】特開２００６−２０５９５４号公報
【特許文献３】特開２００３−２３０３００号公報
【特許文献４】特開２００４−１４０９３８号公報
【発明の開示】
【発明が解決しようとする課題】
【０００７】
携帯式人力発電機においては小型軽量化が必要になるが、これを実現しようとすると強度が低下する可能性が高い。このように強度の低い発電機を使用する際には繊細な操作が必要となるので、自然人の手の繊細さから手動式のものが多い。しかし、手は繊細な反面、足に比べて力が弱く、十分な発電量を得ようとするとすぐに手や腕が疲れてしまう。
また、足で操作して発電する為には、強い力を高速運動に変換する為の増速機構を設けてやることが発電部を小型化するための得策であるが、これを実現する為に特許文献１のような大きな装置を構築すると携帯が非常に困難であり、例えば災害に備えた非常用袋に入れて移動するのは難しい。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る携帯式人力発電機は、例えば図１から６のように、
後輪２を回転軸線１を中心に回転可能に支持する自転車フレーム３のリアエンド４付近に固定され後輪２の外周方向にそれぞれ伸びる支柱部５及び６と、支柱部５及び６それぞれの先端部７及び８の間に架設される架設部９と、を具備し、
水平面１０に支柱部５及び６それぞれの先端部７及び８を接地させて後輪２を水平面１０から浮かせる為の図１又は３のような第１状態と、前記第１状態から先端部７及び８を揺動させて後輪２を水平面１０に接地させる為の図２のような第２状態と、を有する両足式キックスタンド１７に係合可能な携帯式人力発電機であって、
係合部５０と、接地部５１と、を備えるベース部５２と、
回転体５３と、回転体５３を回転軸線５５を中心に回転可能に支持する支持部５６と、回転体５３に動力を伝達する回転入力部５４と、を備え、ベース部５２に設置されてベース部５２に対して移動可能に又は揺動可能にベース部５２に支持され、支持部５６に対して回転体５３を回転軸線５５を中心に回転させることで発電可能である、発電部５７と、
を具備し、
前記第１状態の両足式キックスタンド１７に係合部５０が係合し、同時に接地部５１が水平面１０に接地した図４のような第３状態で、回転入力部５４を後輪２に接触させ回転軸線１を中心に後輪２を回転させることで発電部５７が発電する、
携帯式人力発電機である。
【００１０】
発明２に係る携帯式人力発電機は、発明１の携帯式人力発電機において、例えば図４のように、
前記第３状態では、発電部５７は後輪２に接触する方向に付勢される、
携帯式人力発電機である。
【００１１】
発明３に係る携帯式人力発電機は、発明１から２のいずれかの携帯式人力発電機において、例えば図４のように、
前記第３状態では、係合部５０は架設部９に係合される、
携帯式人力発電機である。
【００１２】
発明４に係る携帯式人力発電機は、発明１から３のいずれかの携帯式人力発電機において、
前記第３状態では、係合部５０は支柱部５又は６の先端部７又は８に係合される、
携帯式人力発電機である。
【００１３】
発明５に係る携帯式人力発電機は、発明１から３のいずれかの携帯式人力発電機において、
前記第３状態では、係合部５０は支柱部５及び６の先端部７及び８に係合される、
携帯式人力発電機である。
【００１４】
発明６に係る携帯式人力発電機は、発明１から２のいずれかの携帯式人力発電機において、例えば図４のように、
前記第３状態では、ベース部５２は両足式キックスタンド１７及び水平面１０に挟まれるように配置される、
携帯式人力発電機である。
【発明の効果】
【００１５】
以上のように本発明では、図５のように非常にシンプルな構成が可能であり、小型軽量化及び高強度化を両立しやすい。
また、両足式キックスタンド１７及び係合部５０の係合をシンプルにしても、接地部５１が水平面１０に接地することによって安定した携帯式人力発電機の取り付けが可能であり、簡便な付け外しが可能となる。
また、様々な後輪２や両足式キックスタンド１７のサイズに対応することが容易となる。
【００１６】
また、発明２では、本発明の効果に加えて、後輪２及び回転入力部５４の接触をより安定させることが可能となる。
【００１７】
また、発明６では、本発明の効果に加えて、自転車及び乗車者の重量によって両足式キックスタンド１７及び係合部５０の係合が強くなるので、よりシンプルな構成が可能となる。
【発明を実施するための最良の形態】
【００１８】
〔第１実施形態〕
まず、図１から図４の両足式キックスタンド１７について説明する。
支柱部５は、後輪２の回転軸線１を中心とするハブ軸の一端部を穴３１に通して固定ナットによって固定される固定部２９と、揺動軸線２０を中心に揺動可能に固定部２９に支持される棒状の揺動部３５と、揺動軸線２１を中心に揺動可能に揺動部３５に支持される揺動片２２と、固定部２９のバネ掛け部２３及び揺動片２２のバネ掛け部２５の間に架設される引張バネ２４と、を備えている。
支柱部６は、後輪２の回転軸線１を中心とするハブ軸の他端部を穴３２に通して固定ナットによって固定される固定部３０と、揺動軸線２０を中心に揺動可能に固定部３０に支持される棒状の揺動部３６と、を備えている。
また、揺動部３５及び３６それぞれの先端部でもある先端部７及び８の間に棒状の架設部９が架設されている。ここで、揺動部３５、３６及び架設部９は棒を曲げて一体成形したものである。
また、図１又は２のように自転車フレーム３のリアエンド４に固定された状態において、棒状の架設部９、回転軸線１、揺動軸線２０及び２１はいずれも略平行である。
また、図１又は３のような第１状態と、図２のような第２状態の両状態で両足式キックスタンド１７が安定するように、引張バネ２４及び揺動軸線２０によるトグル機構が構成されている。
また、図１又は３のように揺動片２２を揺動させて固定部２９の切り欠きに揺動片２２を係合させることで揺動部３５は固定部２９に係止される。
【００１９】
つづいて、図４から６の携帯式人力発電機について説明する。
ベース部５２は弾力性を有する樹脂を一体成型した帯状であり、一端部の表側に支持部６０、及び裏側に接地部５１と、他端部の表側に架設部９に係合可能な溝６１を備える係合部５０、及び裏側に接地部６３と、を備えている。
発電部５７は大部分が樹脂一体成型された棒状であり、一端部が揺動軸線５８を中心とする軸ピン５９を中心に揺動可能に支持部６０に支持されており、他端部の回転軸線５５を中心に回転可能に支持部５６に支持される回転体５３と、を備えている。
また、筒状の回転体５３の外周には回転入力部５４が一体に設けられており、回転軸線１を中心に回転する後輪２のタイヤ１９に回転入力部５４が接触することで回転体５３は回転軸線５５を中心に回転する。このとき、回転軸線１及び５５は略平行である。また、回転体５３の内周には筒状のバックヨークが固定されており、バックヨークの内周に永久磁石が接着されている。また、支持部５６に回転軸線５５を中心とする軸ピンが固定されており、この軸ピンを中心とするクローポール型のヨークが固定されており、ヨークの中央部には電気コイルが巻かれている。また、回転体５３の内側にヨークを収めてクローポール及び永久磁石が僅かな隙間をおいて対向するように回転体５３の両端を軸受け支持している。
また、電気コイルの出力端子は、支持部５６に備えられた整流回路、平滑回路、電圧制限回路等の電気回路を通してから一端に出力コネクタを備えた電線によって外部に出ている。これらの電気回路は、支持部５６に備えられた蓋６５の螺合を工具穴６４を利用して外してから収納されている。
また、図６のようなベース部５２及び発電部５７の折りたたみ状態では、発電部５７の他端部がベース部５２の他端部の係合部６２に係合している。ここで、係合部６２ではなくて係合部５０に係合するようにしても良い。
また、発電部５７は折りたたみ状態なる揺動方向に、揺動軸線５８を中心とし一端がベース部５２、他端が発電部５７に接続されるネジリコイルバネ、又はベース部５２及び発電部５７の間に架設される引張バネ、等の付勢部材によって付勢されているが、付勢部材を使用せずに携帯式人力発電機を構成する素材の弾力性を利用して、図４のような状態で回転入力部５４が後輪２に接触する方向に付勢するような方法が考えられ、この際、ベース部５２及び発電部５７の一端部を一体に構成することも考えられる。また、ベース部５２に対する発電部５７の揺動角度を保つようにローレット及びネジを用いた固定手段等によって固定するような案も考えられる。
また、回転入力部５４が後輪２のリム１８に接触することで回転体５３に動力が伝達されるようにしても良いし、回転体５３及び回転入力部５４を別体として、ギヤ機構やベルト車機構等の伝達機構を用いて両者を接続しても良い。
また、電気コイル及びヨークを回転体５３側に固定して、永久磁石を支持部５６側に固定しても良い。この際、スリップリングを用いて電気コイルの出力を取り出すことができるし、取り出さずに回転体５３側に発光ダイオード等の負荷を備えても良い。
また、ヨーク及び永久磁石等の磁気回路や電気コイルを回転体５３の内部ではなく外部に備えても良い。
【００２０】
〔その他の実施形態〕
第１実施形態に記載の携帯式人力発電機において、係合部５０が先端部７及び８と水平面１０の間に挟まれることで係合される案や、棒状の支柱部５及び６の内側から係合部５０の２つの溝がそれぞれ嵌り込むような係合の案が考えられる。
【図面の簡単な説明】
【００２１】
【図１】両足式キックスタンド１７の第１状態を表す、後輪付近拡大表示図
【図２】両足式キックスタンド１７の第２状態を表す、後輪付近拡大表示図
【図３】第１状態の両足式キックスタンド１７を表す斜視図
【図４】第３状態を表す、第１実施形態の携帯式人力発電機付近拡大表示図
【図５】第１実施形態の携帯式人力発電機を広げた状態を表す斜視図
【図６】第１実施形態の携帯式人力発電機を折りたたんだ状態を第三角法で表す図
【符号の説明】
【００２２】
１,５５  .                            回転軸線
２.                                      後輪
３.                                      自転車フレーム
４.                                      リアエンド
５,６.                                 支柱部
７,８.                                 先端部
９.                                      架設部
１０.                                  水平面
１１.                                  クランク
１２.                                  ペダル
１３.                                  チェーン
１４.                                  シートチューブ
１５.                                  チェーンステイ
１６.                                  シートステイ
１７.                                  両足式キックスタンド
１８.                                  リム
１９.                                  タイヤ
２０,２１,５８.                    揺動軸線
２２.                                  揺動片
２３,２５.                            バネ掛け部
２４.                                  引張バネ
２６,２７,２８,５９.              軸ピン
２９,３０.                            固定部
３１,３２.                            穴
３３,３４.                            回転止め
３５,３６.                            揺動部
５０,６２.                            係合部
５１,６３.                            接地部
５２.                                  ベース部
５３.                                  回転体
５４.                                  回転入力部
５６,６０.                            支持部
５７.                                  発電部
６１.                                  溝
６４.                                  工具穴
６５.                                  蓋